(57)【要約】      （修正有）【課題】ＣＤに直接貼付してもそのまま音楽を聴くことができ、音質を劣化させず、ＣＤとタグとの間に基材を設けているので、タグの感度が鈍り、防犯ゲートに反応しないということがなくなり、より有効に万引きを防ぐ。【解決手段】商品としてのＣＤ１に直接貼付する防犯用シートであって、商品上にラジオ電波や磁気で感知するセンサータグなどのタグ４が取付けてある基材３を、粘着剤２を介して貼付する。【選択図】図１
2006350514.tif 000002
【特許請求の範囲】
【請求項１】
商品に直接貼付する防犯用シートであって、前記商品上にタグが取付けてある基材を、粘着剤を介して貼付したことを特徴とする防犯用シート。
【請求項２】
前記基材は、ポリ塩化ビニルである請求項１に記載の防犯用シート。
【請求項３】
前記基材は、紙である請求項１に記載の防犯用シート。
【請求項４】
前記粘着剤は、アクリル系粘着剤である請求項１乃至３のいずれかに記載の防犯用シート。
【請求項５】
前記粘着剤の対ＳＵＳ粘着力は、２〜６Ｎ／ｃｍである請求項１乃至４のいずれかに記載の防犯用シート。
【請求項６】
前記商品は、ＣＤまたは本である請求項１乃至５のいずれかに記載の防犯用シート。
【発明の詳細な説明】
【技術分野】
【０００１】
本発明は、リサイクルが可能な万引きを防止するためのシートに関するものである。
【背景技術】
【０００２】
通常、書籍、ＣＤ（コンパクトディスク）等をレンタル、販売する各種店舗では陳列棚に商品を並べ、客はこれらの商品を手に取って商品を選択し購入する。
【０００３】
一方、近年万引きが横行しており、各種店舗は多大な損害を受けているため種々の万引き対策が行なわれている。万引き対策として、例えば、店内に防犯カメラを設置したり、陳列商品個々に特許文献１に記載の自鳴式のタグを貼り付けておき、タグを剥がしたり、タグのついた商品を持ちながら店外へ出るとブザーを鳴らして警告する等の防犯対策が行なわれている。
【特許文献１】特開２００５−５００７７号公報
【発明の開示】
【発明が解決しようとする課題】
【０００４】
しかし、例えばＣＤにおいて、通常ＣＤケースにタグを貼付するが、中身のＣＤのみを取り出して万引きする巧妙な手口が増加している。このような問題を解決するために、ＣＤに直接タグを貼付する方法が提案されているが、一度ＣＤに直接タグを貼付すると、タグを剥がすことが困難であり、剥がしてもＣＤのレーベル面に傷がついたり、商品としての価値が無くなるといった問題があった。このため、タグを貼付する粘着力を弱くすると、万引き犯によってタグを剥がされてしまい、万引きを防止することができないといった問題もあった。
【０００５】
また、タグをＣＤに直接貼付すると、タグの感度が鈍り、防犯ゲートに反応せずブザーが鳴らないといった問題もあった。さらに、タグを貼付したＣＤを直接プレーヤーに入れて音楽を聴くと、音質が劣化（ハレーション）するといった問題もあった。
【０００６】
本発明は上述したような実情に鑑みてなされたものであり、本発明は、上述したような問題点を改善した防犯用シートを提供することを目的とする。
【課題を解決するための手段】
【０００７】
本発明は、万引きを効果的に防止することができる防犯用シートを提供することを目的とし、本発明は、商品に直接貼付する防犯用シートであって、商品上にタグが取付けてある基材を、粘着剤を介して貼付したことによって、効果的に達成される。
【０００８】
また、本発明の上記目的は、基材は、ポリ塩化ビニルであることによって、或は基材は、紙であることによって、或は粘着剤は、アクリル系粘着剤であることによって、或は粘着剤の対ＳＵＳ粘着力は、２〜６Ｎ／ｃｍであることによって、或は商品とは、ＣＤまたは本であることによって、より効果的に達成される。
【発明の効果】
【０００９】
本発明の防犯用シートによれば、例えばＣＤに直接貼付してもそのまま音楽を聴くことができ、音質を劣化させないことがわかった。これにより、有効に万引きを防ぐことができる。また、ＣＤとタグとの間に基材を設けているので、タグの感度が鈍り、防犯ゲートに反応しないということがなくなり、より有効に万引きを防ぐことができるようになった。さらに、有機溶剤を使用することにより、容易に本発明の防犯用シートを剥がすことができるので、ＣＤを傷つけることなく、リサイクルもできるようになった。これにより、万引きによる被害が減少し、万引きに対する各種店舗の予算計上を減少させることができるようになった。
【発明を実施するための最良の形態】
【００１０】
以下、本発明について図面を参照にしながら本発明を詳細に説明する。なお、説明の便宜上、本発明の防犯用シートを貼付する商品がＣＤの場合について説明する。
【００１１】
本発明は、ＣＤのレーベル面に直接貼付してもタグの感度が鈍ることなく、そのまま音楽を聴くことができることを特徴とするものである。また、有機溶剤を使用することにより、簡単にＣＤから本発明の防犯用シートを剥がすことができ、リサイクルが可能となる。
【００１２】
図１は、本発明の防犯シートを使用した状態を示した断面図である。ＣＤ１のレーベル面上に粘着層２を介して基材３が貼付されている。基材３上に防犯センサーの役割を果たすタグ４が貼付されている。
【００１３】
粘着層２は、ＣＤ１のレーベル面と基材３とを貼付する役割を果たす。本発明に使用する粘着剤は、アクリル系、エステル系、ウレタン系粘着剤、エマルジョン水溶性からなる粘着剤等を使用することが好ましく、これら複数混合させて使用してもよい。また、再剥離することができる粘着剤を使用することもできる。なお、耐熱性に優れること、コストの面および粘着強度の面からアクリル系粘着剤を使用することが好ましい。
【００１４】
粘着層２の対ＳＵＳ粘着力は、２〜６Ｎ／ｃｍであることが好ましい。対ＳＵＳ粘着力が２Ｎ／ｃｍ未満であると、容易にＣＤ１から本発明の防犯用シートを容易に剥がすことができ、万引きを防止することが困難となる。一方、対ＳＵＳ粘着力が６Ｎ／ｃｍより大きいと、ＣＤ１から本発明の防犯用シートを剥がすことができなくなり、ＣＤ１をリサイクルすることができなくなる。
【００１５】
基材３をＣＤ１のレーベル面上とタグ４との間に貼付することにより、タグ４の感度が鈍りブザーが鳴らないといった問題点を防止することができる。また、タグ４を取付けたままＣＤ１をＣＤプレーヤーに入れて音楽を聴いても、音質が劣化することを防止する。基材３の材質は、例えば、ポリ塩化ビニル、ポリエチレン、エチレン−酢酸ビニル共重合体、（メタ）アクリル酸エステル共重合体、紙、不織布、アクリルゴムシート等公知の種々の物質が使用され、これらは単独で使用してもよいが、複数組み合わせて使用してもよい。なお、本発明においては、コストの面等からポリ塩化ビニルを使用することが好ましい。
【００１６】
タグ４は基材３上に取り付けられており、取り付け方法は、粘着材で貼付する方法等公知の種々の方法をとることができる。本発明で使用するタグ４は、ラジオ電波で対応するセンサータグ、磁気によるセンサータグ等公知の種々のタグを使用することができる。
【００１７】
タグ４には、例えば、バーコード等を貼付することにより、出版社名、ＣＤ名、著作者名、仕向先情報等を書きこんでおけば、商品管理も同時に行なうことができる。
【００１８】
本発明の防犯用シートは、例えばヘキサン、シクロヘキサン等の有機溶剤を使用することにより、ＣＤ１と基材３とを容易に剥がすことができる。このため、従来のようにＣＤ１を傷つけることなく防犯用シートを剥がすことができるので、ＣＤ１のリサイクルも可能となる。
【００１９】
以上、本発明の防犯用シートについて詳細に説明したが、本発明はこれらに限定されるものではない。例えば、本発明の防犯用シートを使用することができる商品はＣＤに限定されず、例えば、書籍等にも使用することができる。書籍に本発明の防犯用シートを使用する場合、書籍の表紙等、様々な箇所に設置することができる。上述したように、タグ４に例えば、本の分類コード等を書きこんでおけば、大型書店、図書館等での整理（陳列）作業が容易となる。
【図面の簡単な説明】
【００２０】
【図１】本発明の防犯用シートをＣＤに使用した状態を示した断面図である。
【符号の説明】
【００２１】
１      ＣＤ
２      粘着層
３      基材
４      タグ
【図１】
2006350514.tif 000003